(57)【要約】【課題】荷物運搬などのための戸開放操作を容易にするエレベータの制御装置を提供する。【解決手段】本発明のエレベータの制御装置は、かごが目的階に到着して停止し、その停止階でドアが開放している状態で、エレベータ動作に影響を与えないかご内操作ボタンまたはかご停止中の乗り場ボタンが操作されることにより、停止階でのドア開放時間を延長するドア開放時間延長手段を備える。【選択図】　図１
2004018130.tif 000002
【特許請求の範囲】
【請求項１】
かごが目的階に到着して停止し、その停止階でドアが開放している状態で、エレベータ動作に影響を与えないかご内操作ボタンを操作することにより、前記停止階での前記ドアの開放時間を延長するドア開放時間延長手段を備えたことを特徴とするエレベータの制御装置。
【請求項２】
前記ドア開放時間延長手段として、かごが目的階に到着して停止し、その停止階でドアが開放している状態で、かご内の行き先階ボタンが前記停止階を目的階として操作されることにより、前記ドアを前記停止階で開放し続けるための戸開放指令を出力する開閉制御手段を備えていることを特徴とする請求項１に記載のエレベータの制御装置。
【請求項３】
前記ドア開閉制御手段は、前記かごが目的階に到着して停止し、その停止階でドアが開放している状態で、かご内の行き先階ボタンが前記停止階を目的階として操作され、かつ、かご内の戸開ボタンが操作されることにより、前記ドアを前記停止階で開放し続けるための戸開放指令を出力することを特徴とする請求項２に記載のエレベータの制御装置。
【請求項４】
前記ドア開放時間延長手段は、
かごが目的階に到着して停止し、その停止階でドアが開かれている状態でかご内の戸開ボタンが操作されることにより始動し、第１の設定時間が経過したとき動作出力を発する第１のタイマー手段と、
前記第１のタイマー手段の始動後、動作出力を発する前に前記戸開ボタンがさらに所定回数操作されることにより、前記ドアを前記停止階で開放し続けるための戸開放指令を出力するドア開閉制御手段と
を備えていることを特徴とする請求項１に記載のエレベータの制御装置。
【請求項５】
前記ドア開放時間延長手段は、
かごが目的階に到着して停止し、その停止階でドアが開放している状態で、かご内の行き先階ボタンが前記停止階を目的階として操作されることにより始動し、第１の設定時間が経過したとき動作出力を発する第１のタイマー手段と、
前記第１のタイマー手段の始動後、動作出力を発する前にかご内の戸開ボタンが所定回数操作されることにより、前記ドアを前記停止階で開放し続けるための戸開放指令を出力するドア開閉制御手段と
を備えていることを特徴とする請求項１に記載のエレベータの制御装置。
【請求項６】
かごが目的階に到着して停止し、その停止階でドアが開放している状態で、エレベータ動作に影響を与えないその停止階の乗り場ボタンが操作されることにより、前記停止階での前記ドアの開放時間を延長するドア開放時間延長手段を備えたことを特徴とするエレベータの制御装置。
【請求項７】
前記ドア開放時間延長手段は、
かごが目的階に到着して停止し、その停止階でドアが開かれている状態で、その停止階の乗り場呼びボタンが操作されることにより始動し、第１の設定時間が経過したとき動作出力を発する第１のタイマー手段と、
前記第１のタイマー手段の始動後、動作出力を発する前に前記乗り場呼びボタンがさらに所定回数操作されることにより、前記ドアを前記停止階で開放し続けるための戸開放指令を出力するドア開閉制御手段と
を備えていることを特徴とする請求項６に記載のエレベータの制御装置。
【請求項８】
前記ドア開放時間延長手段は、前記第１のタイマー手段の始動後、前記第１の設定時間よりも長い第２の設定時間が経過したとき、前記ドアを閉じるための戸閉指令を出力することを特徴とする請求項７に記載のエレベータの制御装置。
【請求項９】
前記かごに戸閉促進用鳴動装置を備え、前記ドア開放時間延長手段は、前記第１のタイマー手段の始動後、前記第１の設定時間よりも長い第２の設定時間が経過したとき前記鳴動装置を作動させるための戸閉促進指令を出力することを特徴とする請求項７に記載のエレベータの制御装置。
【請求項１０】
前記ドア開放時間延長手段は、前記第１のタイマーが動作出力を発した後、第２の設定時間が経過したとき動作出力を発する第２のタイマー手段を備え、前記ドア開閉制御手段は、前記第１のタイマー手段の始動後、前記第１の設定時間よりも長い第２の設定時間が経過したとき前記鳴動装置を作動させ、その後さらに所定の設定時間が経過したとき前記ドアを閉じるための戸閉指令を出力することを特徴とする請求項９に記載のエレベータの制御装置。
【発明の詳細な説明】
【０００１】
【発明の属する技術分野】
本発明は、エレベータドアを荷物運搬などのために開放させるエレベータの制御装置に関する。
【０００２】
【従来の技術】
引っ越し等の荷物運搬のためにエレベータのドアを開き続けたい場合、かご操作盤のスイッチボックス内にある戸開放スイッチまたは非常止めスイッチを操作してドアを開放（戸開）させるのが一般的である。
【０００３】
【発明が解決しようとする課題】
しかしながら、戸開スイッチを操作した場合、戸開中の間、ブザーが鳴動し続ける煩わしさがあったり、操作するスイッチを間違えて思わぬ故障に繋がったりすることがあるという問題点があった。
【０００４】
本発明は、このような問題を解決するために、荷物運搬などのための戸開操作を容易にするエレベータの制御装置を提供することを目的とする。
【０００５】
【課題を解決するための手段】
この目的を達成するために請求項１に係る発明のエレベータの制御装置は、かごが目的階に到着して停止し、その停止階でドアが開放している状態で、エレベータ動作に影響を与えないかご内操作ボタンを操作することにより、停止階でのドアの開放時間を延長するドア開放時間延長手段を備えたことを特徴とする。
【０００６】
請求項２に係る発明は、請求項１に記載のエレベータの制御装置において、ドア開放時間延長手段として、かごが目的階に到着して停止し、その停止階でドアが開放している状態で、かご内の行き先階ボタンが停止階を目的階として操作されることにより、ドアを停止階で開放し続けるための戸開放指令を出力する開閉制御手段を備えていることを特徴とする。
【０００７】
請求項３に係る発明は、請求項２に記載のエレベータの制御装置において、ドア開閉制御手段は、かごが目的階に到着して停止し、その停止階でドアが開放している状態で、かご内の行き先階ボタンが停止階を目的階として操作され、かつ、かご内の戸開ボタンが操作されることにより、ドアを停止階で開放し続けるための戸開放指令を出力することを特徴とする。
【０００８】
請求項４に係る発明は、請求項１に記載のエレベータの制御装置において、ドア開放時間延長手段は、かごが目的階に到着して停止し、その停止階でドアが開かれている状態でかご内の戸開ボタンが操作されることにより始動し、第１の設定時間が経過したとき動作出力を発する第１のタイマー手段と、第１のタイマー手段の始動後、動作出力を発する前に戸開ボタンがさらに所定回数操作されることにより、ドアを停止階で開放し続けるための戸開放指令を出力するドア開閉制御手段とを備えていることを特徴とする。
【０００９】
請求項５に係る発明は、請求項１に記載のエレベータの制御装置において、ドア開放時間延長手段は、かごが目的階に到着して停止し、その停止階でドアが開放している状態で、かご内の行き先階ボタンが停止階を目的階として操作されることにより始動し、第１の設定時間が経過したとき動作出力を発する第１のタイマー手段と、第１のタイマー手段の始動後、動作出力を発する前にかご内の戸開ボタンが所定回数操作されることにより、ドアを停止階で開放し続けるための戸開放指令を出力するドア開閉制御手段とを備えていることを特徴とする。
【００１０】
請求項６に係る発明のエレベータの制御装置は、かごが目的階に到着して停止し、その停止階でドアが開放している状態で、エレベータ動作に影響を与えないその停止階の乗り場ボタンが操作されることにより、停止階でのドアの開放時間を延長するドア開放時間延長手段を備えたことを特徴とする。
【００１１】
請求項７に係る発明は、請求項６に記載のエレベータの制御装置において、ドア開放時間延長手段は、かごが目的階に到着して停止し、その停止階でドアが開かれている状態で、その停止階の乗り場呼びボタンが操作されることにより始動し、第１の設定時間が経過したとき動作出力を発する第１のタイマー手段と、第１のタイマー手段の始動後、動作出力を発する前に乗り場呼びボタンがさらに所定回数操作されることにより、ドアを停止階で開放し続けるための戸開放指令を出力するドア開閉制御手段とを備えていることを特徴とする。
【００１２】
請求項８に係る発明は、請求項７に記載のエレベータの制御装置において、ドア開放時間延長手段は、第１のタイマー手段の始動後、第１の設定時間よりも長い第２の設定時間が経過したとき、ドアを閉じるための戸閉指令を出力することを特徴とする。
【００１３】
請求項９に係る発明は、請求項７に記載のエレベータの制御装置において、かごに戸閉促進用鳴動装置を備え、ドア開放時間延長手段は、第１のタイマー手段の始動後、第１の設定時間よりも長い第２の設定時間が経過したとき鳴動装置を作動させるための戸閉促進指令を出力することを特徴とする。
【００１４】
請求項１０に係る発明は、請求項９に記載のエレベータの制御装置において、ドア開放時間延長手段は、第１のタイマーが動作出力を発した後、第２の設定時間が経過したとき動作出力を発する第２のタイマー手段を備え、ドア開閉制御手段は、第１のタイマー手段の始動後、第１の設定時間よりも長い第２の設定時間が経過したとき鳴動装置を作動させ、その後さらに所定の設定時間が経過したときドアを閉じるための戸閉指令を出力することを特徴とする。
【００１５】
【発明の実施の形態】
＜第１の実施の形態＞
図１は本発明の第１の実施の形態を示すブロック図である。かご１０内に備えられたかご内操作盤１１には行き先階を登録する行き先階ボタン１２、戸開ボタン１３、および戸閉ボタン１４が備えられ、機械室２０からの指令に従ってドア１５が開閉制御される。機械室２０内に備えられる制御盤２１には入力処理部２２および戸開閉制御手段２３が備えられている。かご内操作盤１１と機械室２０内の制御盤２１との間の信号伝送はテールコード３０を介して行われる。
【００１６】
図２は、図１の装置を用いて実施する第１の実施例を示すフローチャートであり、図１をも参照しながら説明する。まず、かご１０が目的階に停止したら、その停止階でドア１５が開放（戸開）しているかをチェックし（ステップＳ１１）、戸開していれば、その状態でその停止階の行き先階ボタン１２を操作する（ステップＳ１２）ことにより、行き先を登録することなく、戸開閉制御手段２３から戸開放指令を発し（ステップＳ１３）、それによりドア１５を開放（戸開）し続ける。
【００１７】
この実施例は、かご１０内に露出している操作ボタンを利用し、分かりやすい操作で戸開放とすることができる。
【００１８】
図３は、図１の装置を用いて実施する第２の実施例を示すフローチャートである。まず、ドア１５が開放している（戸開）かを確認する（ステップＳ２１）。戸開していれば、戸開ボタン１３を押圧操作する（ステップＳ２２）と共に、行き先階の行き先階ボタン１２を操作（ステップＳ２３）する。両条件が満たされたとき戸開閉制御手段２３は戸開放指令を出し（ステップＳ２４）、それにより行き先を登録することなくドア１５を開放（戸開）し続けることができる。
【００１９】
＜第２の実施の形態＞
図４は、本発明の第２の実施の形態を示すブロック図である。この実施の形態における制御盤２１の入力処理部２２と戸開閉制御部２３との間には、タイマー２４および入力回数カウンタ２５が備えられている。かご操作盤１１内の戸開ボタン１３を操作すると、ボタン操作時間を考慮した数秒程度の設定時間を設定したタイマー２４が始動する。タイマー２４は始動後、設定時間が経過する前に同じ戸開ボタン１３を所定回数、例えば２回、押圧操作すると戸開閉制御手段２３を介して戸開放指令を発し、ドア１５を開放（戸開）する。
【００２０】
図５は、図４の装置を用いて実施する第１の実施例を示すフローチャートであり、図４をも参照しながら説明する。まず、かご１０が目的階に停止したら、その停止階でドア１５が開放（戸開）しているかをチェックする（ステップＳ３１）。チェックの結果、戸開していればかご操作盤１１内の戸開ボタン１３を押圧操作する（ステップＳ３２）。これによりタイマー２４を始動させ（ステップＳ３３）、その設定時間が経過する前に同じ戸開ボタン１３が所定回数押圧操作されたことを条件として（ステップＳ３４）戸開閉制御手段から戸開放指令を出し（ステップＳ３５）、戸開放とする。
【００２１】
図６は、図４の装置を用いて実施する第２の実施例を示すフローチャートである。この実施例は、図５を参照して説明した実施例のステップＳ３２における戸開ボタン１３の代わりに行き先階ボタン１２を用いる点を特徴とするものである。すなわち、かご１０が目的階に停止したら、その停止階でドア１５が開放（戸開）しているかをチェックする（ステップＳ４１）。チェックの結果、戸開していればかご操作盤１１内の行き先階ボタン１２によりその時の停止階を行き先として指定するようにボタン操作する（ステップＳ４２）。これによりタイマー２４を始動させ（ステップＳ４３）、その設定時間が経過する前に戸開ボタン１３が所定回数押圧操作されたことを条件として（ステップＳ４４）戸開閉制御手段から戸開放指令を出し（ステップＳ４５）、戸開放とする。
【００２２】
＜第３の実施の形態＞
図７は、本発明の第３の実施の形態を示すブロック図である。この実施の形態はかご停止階の乗り場操作盤４０からの入力信号によって戸開制御を可能にする実施の形態を示すものである。乗り場操作盤４０の行き先ボタン４１から入力処理部２２を介して行き先信号が入力されることによりまずタイマー２４が始動する。タイマー２４の始動後、設定時間が経過する前に、同じ行き先ボタン４１の押圧操作回数を入力回数カウンタ２５でカウントし、それが所定回数、例えば２回、になったら戸開閉制御手段２３を介して戸開放指令をかごに対して発し、ドア１５を開放させる。
【００２３】
図８は、図７の装置を用いて実施する第１の実施例を示すフローチャートであり、図７の構成図を参照しながら説明する。かご１０が目的階に停止したら、その停止階でドア１５が開放（戸開）しているかをチェックする（ステップＳ５１）。チェックの結果、戸開していれば停止階乗り場の行き先階ボタン１２を押圧操作してタイマー２４を始動させる（ステップＳ５３）。この後、タイマー２４の設定時間が経過する前に同じ乗り場の行き先階ボタン１２を何回か押圧操作し、それが所定回に達したかを入力回数カウンタ２５によりカウントする（ステップＳ５４）。ここで所定回に達したことが確認されたら戸開閉制御手段２３を介して戸開放指令を出し（ステップＳ５５）、戸開放とする。
【００２４】
＜第４の実施の形態＞
図９は、本発明の第４の実施の形態を示すブロック図である。この実施の形態では、かご１０が目的階に停止し、前述の各実施の形態に従って戸開放とした後、タイマー２４が設定時間の到来により動作出力を発したとき、戸閉促進制御手段２６により、かご１０に設けた戸閉促進鳴動装置５を起動したり、戸開閉制御手段２３によりドア１５を閉成（戸閉）したりするようにしたものである。この場合、タイマー２４の設定時間は、戸開としておく作業時間を考慮して比較的長い時間に設定される。
【００２５】
図１０は、図９の装置を用いて実施する第１の実施例を示すフローチャートであり、図９の構成図を参照しながら説明する。かご１０が目的階に停止して、すでに述べたようにして戸開放とされた（ステップＳ６１）後、タイマー２４が始動し、その設定時間が経過した（ステップＳ６２）とき、戸開閉制御手段２３を介して戸閉指令を発して（ステップＳ６３）戸閉とする。
【００２６】
図１１は図９の装置を用いて実施する第２の実施例を示すフローチャートである。目的階で戸開放とした（ステップＳ７１）ときタイマー２４が始動し、その設定時間が経過する（ステップＳ７２）と戸閉促進制御手段２６を介してかご１０の戸閉促進鳴動装置１６を起動し（ステップＳ７３）、作業者に戸閉時刻が迫っていることを知らせ作業の促進を図る。
【００２７】
図１２は図９の装置を用いて実施する第３の実施例を示すフローチャートである。この実施例では、目的階で戸開放とした（ステップＳ８１）ときタイマー２４が始動し、その設定時間が経過した（ステップＳ８２）とき、戸閉促進制御手段２６により戸閉促進指令を出力して（ステップＳ８３）戸閉促進鳴動装置１６を起動し、さらにタイマー２４による時間計測により第２の設定時間が経過したことが確認された（ステップＳ８４）とき、戸開閉制御手段２３から戸閉指令を発してドア１５を閉める（戸閉する）。
【００２８】
図１０ないし図１２の実施例によれば、かご１０が目的階に停止して戸開放とした後、所定時間が経過するとしたとき、戸開制御のみならず、既設の操作ボタンを利用して戸閉制御も自動的に行うことができる。
【００２９】
【発明の効果】
以上説明したように本発明によれば、かご内または乗り場に露出している既設の操作ボタンに簡単な操作を加えるだけで、特殊なスイッチ操作による誤動作を防止し、かごを所望の停止階で戸開放とし、荷物の運搬等を安全に行うことができる。
【図面の簡単な説明】
【図１】本発明の第１の実施の形態を示すブロック図である。
【図２】図１の装置を用いて実施する第１の実施例を示すフローチャートである。
【図３】図１の装置を用いて実施する第２の実施例を示すフローチャートである。
【図４】本発明の第２の実施の形態を示すブロック図である。
【図５】図４の装置を用いて実施する第１の実施例を示すフローチャートである。
【図６】図４の装置を用いて実施する第２の実施例を示すフローチャートである。
【図７】本発明の第３の実施の形態を示すブロック図である。
【図８】図７の装置を用いて実施する第１の実施例を示すフローチャートである。
【図９】本発明の第４の実施の形態を示すブロック図である。
【図１０】図９の装置を用いて実施する第１の実施例を示すフローチャートである。
【図１１】図９の装置を用いて実施する第２の実施例を示すフローチャートである。
【図１２】図９の装置を用いて実施する第３の実施例を示すフローチャートである。
【符号の説明】
１０　かご
１１　かご内操作盤
１２　行き先階ボタン
１３　戸開ボタン
１４　戸閉ボタン
１５　ドア
１６　戸閉促進鳴動装置
２０　機械室
２１　制御盤
２２　入力処理部
２３　戸開閉制御手段
２４　タイマー
２５　入力回数カウンタ
２６　戸閉促進制御手段
３０　テールコード
４０　乗り場操作盤
４１　行き先ボタン
【図１】
2004018130.tif 000003
【図２】
2004018130.tif 000004
【図３】
2004018130.tif 000005
【図４】
2004018130.tif 000006
【図５】
2004018130.tif 000007
【図６】
2004018130.tif 000008
【図７】
2004018130.tif 000009
【図８】
2004018130.tif 000010
【図９】
2004018130.tif 000011
【図１０】
2004018130.tif 000012
【図１１】
2004018130.tif 000013
【図１２】
2004018130.tif 000014